(57)【特許請求の範囲】
【請求項１】
正面板と左側面板と右側面板と背面板とが角筒状に構成され、前記正面板の上方に設けられた床面板が前記角筒状の内方に折込まれ、該床面板を下から支える並列した前方支持板と後方支持板が、前記左側面板と前記右側面板の間に、前記正面板と平行に設けられており、前方支持板と後方支持板の上端の垂直方向の位置は、前方支持板より後方支持板の方が高くなっていることを特徴とする商品陳列台。
【請求項２】
前記正面板は、上段正面板と下段正面板とからなり、該上段正面板と下段正面板の上方に、それぞれ設けられた床面板が前記角筒状の内方に折込まれ、前記床面板を下から支える並列した複数の前記支持板が、前記左側面板と前記右側面板の間に、前記正面板と平行に設けられていることを特徴とする請求項１に記載の商品陳列台。
【請求項３】
複数の前記商品陳列台を上下に重ねて、または、横に並べて、固定するための連結孔が、前記左側面板と前記右側面板のそれぞれの上部と下部に設けられていることを特徴とする請求項１または２に記載の商品陳列台。
【請求項４】
吊下げ孔が、前記背面板の上方に設けられていることを特徴とする請求項１乃至３のいずれか１項に記載の商品陳列台。
【請求項５】
前記背面板の背面に上部が背面板に接着し、下部が背面板に接着していない、引掛け舌片を有することを特徴とする請求項１乃至４のいずれか１項に記載の商品陳列台。
【発明の詳細な説明】
【技術分野】
【０００１】
本発明は、商品陳列台に関するものである。
【背景技術】
【０００２】
従来から、店頭に設置して商品を展示したり販売したりするための商品陳列台として、さまざまな材質、形状の製品が提案され、使用されている。これらの中で、紙製の陳列台は、比較的安価に製造できるため、恒久的に使用しない用途、例えば、特定期間しか使用しないキャンペーン用の陳列台などとしてしばしば用いられている。
【０００３】
長期間使用する陳列台であれば、多少嵩張って輸送効率が悪かったり、組立てに多少手間取ったりしても、あまり大きな問題とはならないが、恒久的に使用せず、使用期間が短い用途の場合には、コストの面からも、輸送時に嵩張らず、かつ組立てが容易にできることが求められる。特に組立て作業を、販売店で店員などが行う場合には、組立て操作が容易であることが、極めて重要な課題となっている。
【０００４】
このような商品陳列台には、例えば、板紙等のシート状材料から成り、このシート状材料を筒状に組立てるとともに、その前面側に開口を形成し、この筒状体の下端側に形成された折曲げ片によって前記前面側の開口に臨む下段側の保持部を形成し、更に、筒状体の上端側または開口の上縁側に形成された折曲げ片によって筒状体の上部開口に臨む上段側の保持部を形成するようにした商品陳列台があった（特許文献１）。
【０００５】
公知文献を以下に示す。
【先行技術文献】
【特許文献】
【０００６】
【特許文献１】実開昭６１−１１３７３号公報
【発明の概要】
【発明が解決しようとする課題】
【０００７】
前述の商品陳列台にあっては、平坦に折畳むことによって嵩張らず、輸送効率のよいものであるが、組み立てる工程が多く、店舗などで組み立てるときに手間が掛かり、組み立てる販売員などの負担となる。
【０００８】
本発明は上記した事情に鑑みてなされたもので、輸送時や保管時には平坦に折畳むことができ、組み立てが簡単な商品陳列台を提供することを課題としている。
【課題を解決するための手段】
【０００９】
本発明の請求項１に係る発明は、正面板と左側面板と右側面板と背面板とが角筒状に構成され、前記正面板の上方に設けられた床面板が前記角筒状の内方に折込まれ、該床面板を下から支える並列した前方支持板と後方支持板が、前記左側面板と前記右側面板の間に、前記正面板と平行に設けられており、前方支持板と後方支持板の上端の垂直方向の位置は、前方支持板より後方支持板の方が高くなっていることを特徴とする商品陳列台である。
【００１０】
本発明の商品陳列台は、以上のような構成であって、左側面板と右側面板の間に床面板を下から支える並列した複数の支持板が正面板と平行に設けられているので、角筒状の正面板と左側面板と右側面板と背面板を、平坦に折畳むことができて、嵩張らず、輸送や保管ができる。
【００１１】
また、正面板の上方に床面板が設けられているので、正面板と左側面板と右側面板と背面板とで角筒状に組み立てた後、床面板を角筒状の内方に折込み、複数の支持板の上に床面板を載せるだけで、簡単に商品陳列台を組み立てることができる。
【００１２】
本発明の請求項２に係る発明は、前記正面板は、上段正面板と下段正面板とからなり、該上段正面板と下段正面板の上方に、それぞれ設けられた床面板が前記角筒状の内方に折込まれ、前記床面板を下から支える並列した複数の前記支持板が、前記左側面板と前記右側面板の間に、前記正面板と平行に設けられていることを特徴とする請求項１に記載の商品陳列台である。
【００１３】
本発明の商品陳列台は、以上のような構成であって、正面板が、上段正面板と下段正面板とからなっていて、上段正面板と下段正面板の上方に、それぞれ床面板が設けられているので、上下方向に複数の陳列棚を設けることができる。
【００１４】
本発明の請求項３に係る発明は、複数の前記商品陳列台を上下に重ねて、または、横に並べて、固定するための連結孔が、前記左側面板と前記右側面板のそれぞれの上部と下部に設けられていることを特徴とする請求項１または２に記載の商品陳列台である。
【００１５】
本発明の商品陳列台は、連結孔が、左側面板と右側面板のそれぞれの上部と下部に設けられているので、商品陳列台を上下に重ね合わせ、左側面板や右側面板より、上方に高く設けられた背面板の上部を、他方の商品陳列台の背面板に沿って内側に下方より、差し込んで、商品陳列台の左側面板や右側面板の上部に設けられた連結孔と、他方の商品陳列台の左側面板や右側面板の下部に設けられた連結孔とを、紐や連結冶具で連結させることができ、商品陳列台を上下に重ね合わせて展示することができる。
【００１６】
このとき、床面板を下から支える並列した複数の支持板は、正面板と平行に設けられているので、背面板の上部を、他方の商品陳列台の背面板に沿って内側に差し込むのに邪魔にならず、差し込むことができる。
【００１７】
また、商品陳列台の右側面板と他の商品陳列台の左側面板を接するように横に並べ、それぞれに設けられた上部の連結孔どうしと、下部の連結孔どうしを、それぞれ、紐や連結冶具で連結させ、商品陳列台を横に並べて展示することもできる。このように、紐や連結冶具で連結させることにより、商品陳列台をしっかりと固定できる。
【００１８】
本発明の請求項４に係る発明は、吊下げ孔が、前記背面板の上方に設けられていることを特徴とする請求項１乃至３のいずれか１項に記載の商品陳列台である。
【００１９】
本発明の商品陳列台は、吊下げ孔が、背面板の上方に設けられているので、吊下げ孔で吊下げることができ、また、吊下げ孔に紐を通して、上から吊下げることができる。
【００２０】
本発明の請求項５に係る発明は、前記背面板の背面に上部が背面板に接着し、下部が背面板に接着していない、引掛け舌片を有することを特徴とする請求項１乃至４のいずれか１項に記載の商品陳列台である。
【００２１】
本発明の商品陳列台は、背面板の背面に上部が背面板に接着し、下部が背面板に接着していない、引掛け舌片を有しているので、店舗の陳列棚などに引掛け舌片を引掛けて用いることができる。
【発明の効果】
【００２２】
本発明の商品陳列台は、輸送時や保管時には平坦に折畳むことができ、組み立てが簡単
にできるので、作業の簡略化ができ、組立作業の負荷が低減され、輸送や保管のコストも低減できる。
【図面の簡単な説明】
【００２３】
【図１】本発明の商品陳列台の一例の展開図である。
【図２】本発明の商品陳列台の一例を平坦に折畳んだ状態を斜視した説明図である。
【図３】本発明の商品陳列台の一例を角筒形状に起こした状態を斜視した説明図である。
【図４】本発明の商品陳列台の一例を斜視した説明図である。
【図５】本発明の商品陳列台の一例の説明図である。（Ａ）正面図である。（Ｂ）一部透視した右側面図である。（Ｃ）背面図である。（Ｄ）平面図である。（Ｅ）底面図である。
【図６】本発明の商品陳列台の一例を横に並べた状態を斜視した説明図である。
【図７】本発明の商品陳列台の一例を重ね合わせた状態を右側面で示した説明図である。
【発明を実施するための形態】
【００２４】
以下本発明を実施するための形態につき説明する。
図１は、本発明の商品陳列台の一例の展開図である。
【００２５】
本例の商品陳列台１００は、図１の展開図のように、上段正面板１ａと下段正面板１ｂからなる正面板１と、その左右に左側面板２と、右側面板３が設けられ、右側面板３の右側に背面板４が連設され、左側面板２の左側に貼着板５が設けられている。
【００２６】
上段正面板１ａの上方には、上段折返し板６ａと上段床面板７ａが連設されていて、同じく、下段正面板１ｂの上方には、下段折返し板６ｂと下段床面板７ｂが連設されている。また、背面板４の上端には、表示板８が連設されている。
【００２７】
左側面板２と、右側面板３のそれぞれの上部と下部には、連結孔９、９、９、９が設けられている。また、背面板４の上方には、吊下げ孔１０ａ、１０ａが設けられ、また、折り返されて、背面板４の上部に重なり合う表示板８にも、重なり合った時に背面板４の吊下げ孔１０ａ、１０ａと一致する位置に、吊下げ孔１０ｂ、１０ｂが設けられている。
【００２８】
また、別部材として、上段用と下段用の２つの支持板部材１１、１１があり、支持板部材１１には、それぞれ、前方支持板１１ａと後方支持板１１ｂが、接着部１１ｃを介して連設され、前方支持板１１ａと後方支持板１１ｂの外側には、接着部１１ｄがそれぞれ設けられている。
【００２９】
また更に別部材として、背面板４の背面に接着させる引掛け舌片１２があり、引掛け舌片１２は、引掛け舌片本体１２ａと２枚のスペーサー１２ｂ、１２ｂからなり、２枚のスペーサー１２ｂ、１２ｂを重ね合わせ、更に、引掛け舌片本体１２ａの上部に、重ね合わせたスペーサー１２ｂ、１２ｂを更に重ねて、接着剤を介して、貼り合わせて一体の引掛け舌片１２とし、背面板４の背面にスペーサー１２ｂ面を接着剤で接着し、取り付けるものである。
【００３０】
引掛け舌片１２は、スペーサー１２ｂ、１２ａにより、背面板４から引掛け舌片本体１２ａが離れて設けられているので、引掛け舌片１２で商品陳列台１００を店舗の陳列棚などに引っ掛け展示するとき、引掛けやすい。
【００３１】
本発明の商品陳列台１００を構成する材料としては、シート状の材料である紙が好ましく用いられる。また、シート状のプラスチックも使用できる。プラスチックとしては、ポリエチレン、ポリプロピレン、ポリメチルペンテン等のポリオレフィンや、ナイロン、ポ
リエチレンテレフタレート、ポリカーボネートなどが挙げられる。
【００３２】
使用する紙としては、坪量２００〜５００ｇ／ｍ２のバージン紙、カード紙、カップ原紙、コートボール紙などの板紙が使用できる。また、段ボールを使用することも可能である。
【００３３】
図２は、本発明の商品陳列台の一例を平坦に折畳んだ状態を斜視した説明図である。図３は、本発明の商品陳列台の一例を角筒形状に起こした状態を斜視した説明図である。
【００３４】
本例の商品陳列台１００を組み立てるには、まず、表示板８と背面板４の間の折罫を山折し、表示板８を背面板４の正面側に接着させる。そして、貼着板５、左側面板２、正面板１、右側面板３、背面板４のそれぞれの間の折罫を山折し、貼着板５を背面板４の外面に貼着させる。
【００３５】
別に、支持板部材１１、１１を左側の接着部１１ｄ、前方支持板１１ａ、接着部１１ｃ、後方支持板１１ｂ、右側の接着部１１ｄのそれぞれの間の折罫を山折し、左側の接着部１１ｄと右側の接着部１１ｄの端部を突き合わせて、四角柱状になるようにして、それぞれ、左側面板２、右側面板３に接着部１１ｃ、接着部１１ｄを接着させる。
【００３６】
このとき、四角柱状の支持板部材１１、１１の下端を、上段正面板１ａ、下段正面板１ｂの下端の垂直方向で同じになるようにし、並列した前方支持板１１ａと後方支持板１１ｂが、正面板１と平行になるようにする。
【００３７】
また別途、２枚のスペーサー１２ｂ、１２ｂを重ね合わせ、更に、引掛け舌片本体１２ａの上部に、重ね合わせたスペーサー１２ｂ、１２ｂを更に重ねて、接着剤を介して、貼り合わせて一体の引掛け舌片１２とし、背面板４の背面にスペーサー１２ｂ面を接着し取り付ける。
【００３８】
引掛け舌片１２は、スペーサー１２ｂ、１２ａにより、背面板４から引掛け舌片本体１２ａが離れて設けられているので、引掛け舌片１２で商品陳列台１００を店舗の陳列棚などに引っ掛け展示するとき、引掛けやすい。
【００３９】
この状態で、貼着板５と左側面板２の間の罫線、正面板１と右側面板３の間の罫線、を更に折り、左側面板２と正面板１の間の罫線、右側面板３と背面板４の間の罫線、を平らになる方向に折畳むと、図２のように、平坦に折畳むことができる。このとき、前方支持板１１ａと後方支持板１１ｂも正面板１と平行のまま折畳まれ、折畳むことを阻害することがない。
【００４０】
このように、平坦に折畳むことができるので、この折畳んで平坦にした状態で商品陳列台１００を輸送したり、保管したりできるので、嵩張らず、輸送費用や、保管費用が低減できる。
【００４１】
この折畳んで平坦にした商品陳列台１００を、店舗などで組み立てるには、左側面板２と正面板１のなす角度が直角になるように間の罫線で折り曲げ、右側面板３と背面板４のなす角度が直角になるように間の罫線で折り曲げ、左側面板２、正面板１、右側面板３、背面板４で、四角柱の角筒形状に起こすと、図３のようになる。
【００４２】
このとき、上段床面板７ａと上段折返し板６ａは、上段正面板１ａの上に折られることなく、平らに伸びている。また、下段床面板７ｂと下段折返し板６ｂもまた、下段正面板１ｂの上に折られることなく、平らに伸びている。図ではわかりにくいが、前方支持板１
１ａと後方支持板１１ｂも正面板１と平行のまま起き上がっている。
【００４３】
図４は、本発明の商品陳列台の一例を斜視した説明図である。図５は、本発明の商品陳列台の一例の説明図である。（Ａ）正面図である。（Ｂ）一部透視した右側面図である。（Ｃ）背面図である。（Ｄ）平面図である。（Ｅ）底面図である。
【００４４】
次に、四角柱の角筒形状に起こした商品陳列台１００で、上段正面板１ａと上段折返し板６ａの間の折罫を山折し、左側面板２と右側面板３の間に挿し込み、更に、上段折返し板６ａと上段床面板７ａの間の罫線を谷折りして、上段床面板７ａを上段用の支持板部材１１の前方支持板１１ａと後方支持板１１ｂの上に載せるようにする。
【００４５】
また、下段正面板１ｂと下段折返し板６ｂの間の折罫を山折し、左側面板２と右側面板３の間に挿し込み、更に、下段折返し板６ｂと下段床面板７ｂの間の罫線を谷折りして、下段床面板７ｂを下段用の支持板部材１１の前方支持板１１ａと後方支持板１１ｂの上に載せるようにする。これにより、図４、図５のように、商品陳列台１００が組み立てあがる。
【００４６】
商品陳列台１００は、左側面板２に延設された貼着板５が背面板４の外面に貼着されることによって、上段正面板１ａと下段正面板１ｂからなる正面板と、左側面板２と、右側面板３と、背面板４とで角筒状に構成されている。
【００４７】
背面板４の上端に延設された表示板８が正面側に折り返されていて、表示板８に表示された商品名やキャッチコピーなどの表示が正面から見えるようになっている。また、背面板４の背面には、上部が背面板４に接着し、下部が背面板４に接着していない引掛け舌片１２が設けられている。
【００４８】
引掛け舌片１２は、図５（Ｄ）のように、引掛け舌片本体１２ａと２枚のスペーサー１２ｂ、１２ｂからなり、舌片本体１２ａより縦方向の長さが短いスペーサー１２ｂ、１２ｂが、重ね合わされ、上端を合わせて、舌片本体１２ａに接着され、スペーサー１２ｂの面が背面板４に接着され、これにより、引掛け舌片１２の舌片本体１２ａは背面板４に接着していないので、舌片本体１２ａで店舗の陳列棚などに引掛けることができる。
【００４９】
左側面板２と右側面板３の間には、前方支持板１１ａと後方支持板１１ｂからなる上段用と下段用の２組の支持板が、正面板１と平行になるように接着して設けられている。また、上段用の前方支持板１１ａと後方支持板１１ｂの下端と上段正面板１ａの下端は、垂直方向の位置が略同じになるように設けられ、下段用の前方支持板１１ａと後方支持板１１ｂの下端と下段正面板１ｂの下端は、垂直方向の位置が略同じになるように設けられている。
【００５０】
上段正面板１ａの上端に延設された上段折返し板６ａが、内方の下方に山折りされ、更に、上段折返し板６ａの先端に延設された上段床面板７ａが谷折りされ、上段用の前方支持板１１ａと後方支持板１１ｂの上端に接するように組み立てられている。
【００５１】
また、下段正面板１ｂの上端に延設された下段折返し板６ｂが、内方の下方に山折りされ、更に、下段折返し板６ｂの先端に延設された下段床面板７ｂが谷折りされ、下段用の前方支持板１１ａと後方支持板１１ｂの上端に接するように組み立てられている。
【００５２】
前方支持板１１ａと後方支持板１１ｂの上端の垂直方向の位置は、前方支持板１１ａより後方支持板１１ｂの方が高くなっている。そのため、上段床面板７ａおよび下段床面板７ｂは前下がりの傾斜になっている。前下がりに傾斜している上段床面板７ａや下段床面
板７ｂに商品などを載せると、見やすくなり、お客様の注意を惹くことができ、アイキャッチ効果が期待できる。
【００５３】
重ね合わされた背面板４と表示板８には、略同一の位置に設けられた吊下げ孔１０ａ、１０ａと吊下げ孔１０ｂ、１０ｂにより、吊下げ孔１０、１０が設けられている。この吊下げ孔１０、１０で吊下げることもできるし、また、吊下げ孔１０、１０に紐を通して、上から吊下げることもできる。
【００５４】
図６は、本発明の商品陳列台の一例を横に並べた状態を斜視した説明図である。図７は、本発明の商品陳列台の一例を重ね合わせた状態を右側面で示した説明図である。
【００５５】
また、左側面板２と右側面板３のそれぞれの上部と下部には、連結孔９が設けられていて、商品陳列台１００の右側面板３と他の商品陳列台１００´の左側面板２´を接するように横に並べ陳列するとき、それぞれに設けられた上部の連結孔９、９どうしと、下部の連結孔９、９どうしを、図６のように、それぞれ、結束バンド１３（コンベックス）で連結させ、商品陳列台を横に並べて展示することもできる。
【００５６】
このように連結することにより、商品陳列台１００、１００´をしっかりと固定できる。尚、本例では、結束バンド１３で連結させたが、結束バンド１３ではなく、紐や他の連結冶具で連結させてもよい。
【００５７】
また、図７のように、商品陳列台１００、１００´を上下に重ね合わせ、左側面板２´や右側面板３´より上方に高く設けられた商品陳列台１００´の背面板４´の上部を、他方の商品陳列台１００の背面板４に沿って内側に下方より、差し込んで、商品陳列台１００´の左側面板２´や右側面板３´の上部に設けられた連結孔９´と、他方の商品陳列台１００の左側面板２や右側面板３の下部に設けられた連結孔９とを、結束バンド１３（コンベックス）で連結させ、商品陳列台を上下に重ね合わせて展示することができる。
【００５８】
このように連結することにより、商品陳列台１００、１００´をしっかりと固定できる。尚、本例では、結束バンド１３で連結させたが、結束バンド１３ではなく、紐や他の連結冶具で連結させてもよい。
【００５９】
以上のように、本例の商品陳列台１００は、平坦に折畳むことができるので、輸送や保管時に嵩張らず、コストの低減ができる。また、店舗などで、組み立てるときは、正面板１と左側面板２と右側面板３と背面板４を角筒状に起こして、上段折返し板６ａや下段折返し板６ｂを角筒状の内方に折込み、支持板の上に上段床面板７ａや下段床面板７ｂを載せるだけで簡単に商品陳列台１０を組み立てることができる。
【００６０】
また、連結孔９が、左側面板２と右側面板３のそれぞれの上部と下部に設けられているので、商品陳列台１００を上下に重ねたり、横に並べたりするときに、連結孔９どうしを紐や連結冶具で連結させ、商品陳列台１００をしっかりと固定することができる。
【００６１】
商品陳列台１００を上下に重ねるとき、床面板７ｂを下から支える並列した複数の支持板１１ａ、１１ｂは、正面板１と平行に設けられているので、背面板４の上部を、他方の商品陳列台１００の背面板４に沿って内側に差し込むのに邪魔にならず、差し込むことができる。
【００６２】
更に、吊下げ孔１０が、背面板の上方に設けられているので、吊下げ孔１０で吊下げることができ、また、吊下げ孔１０に紐を通して、上から吊下げることもできる。
【００６３】
本例では、正面板１が上段正面板１ａと下段正面板１ｂの２つからなり、上段床面板７ａと下段床面板７ｂによって設けられる２つの商品陳列棚を有する商品陳列台１００について説明したが、これに限るものではない。
【００６４】
正面板が１つで、床面板が１つの商品陳列棚が１段の商品陳列台でもよいし、上段正面板１ａと下段正面板１ｂの間に１つ以上の中間正面板を有し、上段床面板７ａと下段床面板７ｂ間に１つ以上の中間床面板を設けて、商品陳列棚が３段以上ある商品陳列台としてもよい。
【００６５】
また、本例においては、正面板と床面板の間に折返し板を設け、床面板の下端が正面板の上端より高くし、商品が滑り落ちないようにしたが、折返し板を設けずに、直接、正面板と床面板を連接してもよい。この場合、床面板を角筒状の内方に折込んだときに、床面板の下端より正面板の一部が高くなるように、正面板と床面板の間に切込みによる突起部を部分的に正面板に設けてもよい。
【符号の説明】
【００６６】
１００・・・商品陳列台
１・・・正面板
１ａ・・・上段正面板
１ｂ・・・下段正面板
２・・・左側面板
３・・・右側面板
４・・・背面板
５・・・貼着板
６ａ・・・上段折返し板
６ｂ・・・下段折返し板
７・・・床面板
７ａ・・・上段床面板
７ｂ・・・下段床面板
８・・・表示板
９、９、９、９・・・連結孔
１０、１０ａ、１０ａ、１０ｂ、１０ｂ・・・吊下げ孔
１１、１１・・・支持板部材
１１ａ・・・前方支持板
１１ｂ・・・後方支持板
１１ｃ、１１ｄ・・・接着部
１２・・・引掛け舌片
１２ａ・・・引掛け舌片本体
１２ｂ、１２ｂ・・・スペーサー
１３・・・結束バンド
【図１】
0005884318.tif 000002
【図２】
0005884318.tif 000003
【図３】
0005884318.tif 000004
【図４】
0005884318.tif 000005
【図５】
0005884318.tif 000006
【図６】
0005884318.tif 000007
【図７】
0005884318.tif 000008